(57)【要約】【課題】検定有効期間を超過した電力量計が電力の料金取引に使用されることを防止する。【解決手段】本発明の一態様は、電力を負荷３に供給するための入出力端子４，７と、負荷３において使用された電力量を検出する手段１６と、検出手段１６によって検出された電力量を累積し、使用電力量を求める手段１８ｃと、使用電力量を表示する手段１３と、現在時刻を計時する手段１８ａと、現在時刻が有効期間データの示す有効期間内か否かを判断する手段１８ｄと、現在時刻が有効期間内でない場合、表示手段１３による表示動作を停止させる表示制御手段１８ｇとを具備する電力量計１５である。【選択図】      図１
2005181053.tif 000002
【特許請求の範囲】
【請求項１】
電力を負荷に供給するための入出力端子と、
前記負荷において使用された電力量を検出する手段と、
前記検出手段によって検出された電力量を累積し、使用電力量を求める手段と、
前記使用電力量を表示する手段と、
現在時刻を計時する手段と、
前記現在時刻が有効期間データの示す有効期間内か否かを判断する手段と、
前記現在時刻が前記有効期間内でない場合、前記表示手段による表示動作を停止させる表示制御手段と
を具備する電力量計。
【請求項２】
請求項１記載の電力量計において、
検定に合格した旨を示す合格データを通信回線経由で受信するための通信端子と、
前記合格データを受信した場合に、前記検定に合格した場合に定められる有効期間を示す前記有効期間データを作成する手段と
をさらに具備する電力量計。
【請求項３】
請求項１記載の電力量計において、
通信端子と、
前記現在時刻が前記有効期間内でない場合、前記使用電力量を示す使用電力量データを記録する手段と、
データ出力命令を入力した場合に、前記使用電力量データを読み出し、前記通信端子経由で前記使用電力量データを出力する手段と
をさらに具備する電力量計。
【請求項４】
請求項１記載の電力量計において、
スイッチと、
前記現在時刻が前記有効期間内でない場合、前記使用電力量を示す使用電力量データを記録する手段と
をさらに具備し、
前記表示制御手段は、前記スイッチがＯＮとなった場合に、前記記録手段によって記録された使用電力量データを読み出し、前記表示手段により表示させる
ことを特徴とする電力量計。
【請求項５】
電力を負荷に供給するための入出力端子と、
前記負荷において使用された電力量を検出する手段と、
前記検出手段によって検出された電力量を累積し、使用電力量を求める手段と、
前記使用電力量を表示する手段と、
時刻を計時する手段と、
前記計時手段に基づいて得られる検定合格時からの累積時間が、有効累積時間データの示す有効累積時間を超えたか否かを判断する手段と、
前記累積時間が前記有効累積時間を超えた場合、前記表示手段による表示動作を停止させる表示制御手段と
を具備する電力量計。
【請求項６】
請求項５記載の電力量計において、
検定に合格した旨を示す合格データを通信回線経由で受信するための通信端子をさらに具備し、
前記判断手段は、前記合格データを受信した時点を前記検定合格時とする
ことを特徴とする電力量計。
【請求項７】
請求項５記載の電力量計において、
通信端子と、
前記累積時間が前記有効累積時間を超えた場合、前記使用電力量を示す使用電力量データを記録する手段と、
データ出力命令を入力した場合に、前記使用電力量データを読み出し、前記通信端子経由で前記使用電力量データを出力する手段と
をさらに具備する電力量計。
【請求項８】
請求項５記載の電力量計において、
スイッチと、
前記累積時間が前記有効累積時間を超えた場合、前記使用電力量を示す使用電力量データを記録する手段と
をさらに具備し、
前記表示制御手段は、前記スイッチがＯＮとなった場合に、前記記録手段によって記録された使用電力量データを読み出し、前記表示手段により表示させる
ことを特徴とする電力量計。
【発明の詳細な説明】
【技術分野】
【０００１】
本発明は、使用電力量を計量する電力量に関する。
【背景技術】
【０００２】
一般的に、電力量計は、電気の供給者から電気の需要者に電気が供給された場合に、需要者の使用電力量を計量し、表示する。
【０００３】
図５は、従来の電力量計の一例を示すブロック図である。
【０００４】
電力量計１は電子式の電力量計である。電力量計１は、電力供給設備２から負荷３に供給される電力量を計量する。
【０００５】
電力計量１の入力端子４は、電力供給設備２と配電線５によって接続されている。入力端子４は、配電線５に含まれる第１電線５ａの一端と内部導体６ａの一端とを通電可能とし、配電線５に含まれる第２電線５ｂの一端と内部導体６ｂの一端とを通電可能とする。
【０００６】
電力計量１の出力端子７は、負荷３と配電線８によって接続されている。出力端子７は、配電線８に含まれる第１電線８ａの一端と内部導体６ａの他端とを通電可能とし、配電線８に含まれる第２電線８ｂの一端と内部導体６ｂの他端とを通電可能とする。
【０００７】
すなわち、電力計量１の入力端子４と出力端子７は、電力量計１の内部導体６ａ，６ｂによって接続されている。
【０００８】
電力量計１の内部では、電圧検出部９は、入力端子４から、電力供給設備２から負荷３に供給される電力に対する電圧成分を電気信号として検出する。例えば、電圧検出部９は、内部導体６ａ，６ｂ間の電圧を検出する。
【０００９】
電流検出部１０は、内部導体６ａから電流成分を電気信号として検出する。
【００１０】
電力演算部１１は、電圧成分の電気信号と電流成分の電気信号とに基づいて電力量を演算する。
【００１１】
中央演算部１２は、演算された電力量を累積し、使用電力量とする。
【００１２】
電力量表示部１３は、使用電力量を表示する。
【００１３】
図６は、従来の電力量計１の一例を示す正面図である。
【００１４】
電力量計１は、電力の料金取引に使用される特定計量器であり、検定に合格した場合には検定有効期間が定められる。電力量計１の正面に付された検定ラベル１４は、検定有効期限を表す。
【００１５】
特許文献１（特開２０００−８１４５０号公報）には、検定有効期間が経過した場合に、検定切れを表示する電力量計が開示されている。
【特許文献１】特開２０００−８１４５０号公報
【発明の開示】
【発明が解決しようとする課題】
【００１６】
上述した従来の電力量計１では、検定有効期間を超過しても、計量動作が継続される。この場合、電力量計１の保守を行う事業者が管理を怠ると、電力の料金取引において検定有効期間を超過した電力量計１が使用されるという問題がある。
【００１７】
特許文献１に開示されている電力量計は、検定切れを表示するが、検定有効期間経過後であっても計量動作が継続される。
【００１８】
したがって、この特許文献１に開示されている電力量計を用いた場合であっても、電力の料金取引において検定有効期間を超過した電力量計が使用される可能性がある。
【００１９】
本発明は、以上のような実情に鑑みてなされたもので、検定有効期間を超過した場合に電力の料金取引に使用されることを防止する電力量計を提供することを目的とする。
【課題を解決するための手段】
【００２０】
本発明を実現するにあたって講じた具体的手段について以下に説明する。
【００２１】
本発明の第１例は、電力を負荷に供給するための入出力端子と、負荷において使用された電力量を検出する手段と、検出手段によって検出された電力量を累積し、使用電力量を求める手段と、使用電力量を表示する手段と、現在時刻を計時する手段と、現在時刻が有効期間データの示す有効期間内か否かを判断する手段と、現在時刻が有効期間内でない場合、表示手段による表示動作を停止させる表示制御手段とを具備する電力量計である。
【００２２】
本発明の第２例は、電力を負荷に供給するための入出力端子と、負荷において使用された電力量を検出する手段と、検出手段によって検出された電力量を累積し、使用電力量を求める手段と、使用電力量を表示する手段と、時刻を計時する手段と、計時手段に基づいて得られる検定合格時からの累積時間が、有効累積時間データの示す有効累積時間を超えたか否かを判断する手段と、累積時間が有効累積時間を超えた場合、表示手段による表示動作を停止させる表示制御手段とを具備する電力量計である。
【発明の効果】
【００２３】
本発明においては、有効期限の超過した電力量計が電力の料金取引に使用されることを防止できる。
【発明を実施するための最良の形態】
【００２４】
以下、図面を参照しながら本発明の実施の形態について説明する。
【００２５】
（第１の実施の形態）
本実施の形態では、電気の供給者から電気の需要者に電気が供給された場合に、需要者の使用電力量を計量し、表示する電子式の電力量計について説明する。
【００２６】
本実施の形態では、現在時刻が検定有効期間を超過した時点で使用電力量の表示を停止する電力量計について説明する。
【００２７】
図１は、本実施の形態に係る電力量計の一例を示すブロック図である。
【００２８】
電力量計１５は、入力端子４、出力端子７、内部導体６ａ，６ｂ、電力検出部１６、通信端子１７、中央演算部１８、記録部１９、電力量表示部１３、スイッチ２０を具備する。
【００２９】
電力検出部１６は、例えば、電圧検出部９、電流検出部１０、電力演算部１１により電力を検出する。
【００３０】
なお、この図１における電力量計１５における入力端子４、内部導体６ａ，６ｂ、出力端子７、電圧検出部９、電流検出部１０、電力演算部１１、電力量表示部１３、及び電力供給設備２、負荷３、配電線５，８については、上記図５の場合と同一であるため、説明を省略する。
【００３１】
記録部１９には、例えば不揮発性のメモリ、ハードディスクなどが用いられる。
【００３２】
通信端子１７は、各種のデータを通信回線１７ａを介して外部から受信し、各種のデータを内部から通信回線１７ａを介して外部に送信するための端子である。例えば、通信端子１７は、通信回線１７ａ経由で、検定に合格した旨を示す合格データを受信する。
【００３３】
中央演算部１８は、計時部１８ａ、検定合格検出部１８ｂ、累積部１８ｃ、判断部１８ｄ、記録処理部１８ｅ、データ出力部１８ｆ、表示制御部１８ｇを具備する。なお、中央演算部１８による処理は、ソフトウェアを用いて実現されるとしてもよい。
【００３４】
計時部１８ａは、現在時刻を計時する。
【００３５】
検定合格検出部１８ｂは、通信端子１７において受信された合格データを入力した場合に、検定合格を検出する。
【００３６】
そして、検定合格検出部１８ｂは、検定に合格した場合に、計時部１８ａで計時されている現在時刻に基づいて、検定有効期間を定め、検定有効期間を示す有効期間データを作成する。例えば、検定合格検出部１８ｂは、単独で使用される定格電圧が３００Ｖ以下の電力量計の場合、検定合格時から１０年経過するまでの期間を検定有効期間として定める。
【００３７】
累積部１８ｃは、電力演算部１１によって演算された電力量を累積して使用電力量を求め、使用電力量を示す使用電力量データを作成する。
【００３８】
判断部１８ｄは、検定合格検出部１８ｂによって作成された有効期間データの示す検定有効期間と計時部１８ａによって計時されている現在時刻とを比較し、検定有効期間内に現在時刻が含まれるか否か判断する。
【００３９】
記録処理部１８ｅは、判断部１８ｄにおいて検定有効期間内に現在時刻が含まれないと判断された場合に、累積部１８ｃによって作成された使用電力量データを記録部１９に記録する。
【００４０】
データ出力部１８ｆは、データ出力命令にしたがって、記録部１９に記録されている使用電力量データを通信端子１７経由で外部に出力する。なお、データ出力命令は、例えば、通信端子１７経由で入力する。
【００４１】
表示制御部１８ｇは、判断部１８ｄにおいて検定有効期間内に現在時刻が含まれると判断された場合に、累積部１８ｃによって作成された使用電力量データの示す使用電力量を電力量表示部１３に表示させる。
【００４２】
一方、表示制御部１８ｇは、現在時刻が有効期間内でない場合、電力量表示部１３による表示動作を停止させる。本実施の形態では、表示制御部１８ｇは、現在時刻が有効期間内でない場合、電力量表示部１３に表示停止命令を出力する。
【００４３】
さらに、表示制御部１８ｇは、スイッチ２０がＯＮ状態となった場合、記録部１９に記録されている使用電力量データを読み出し、電力量表示部１３に使用電力量を表示させる。
【００４４】
表示制御部１８ｇによる表示制御にしたがって、電力量表示部１３は、使用電力量データの示す使用電力量を表示し、表示停止命令を入力した場合、表示を停止する。
【００４５】
本実施の形態に係る電力量計１５の動作概要について説明する。
【００４６】
中央演算部１８は、通信端子１７から検定に合格した旨を示す合格データを受信し、検定有効期間を算出する。
【００４７】
需要者が使用した電力量を検出するために、電力量計１５の電圧検出部９は、入力端子４から電圧成分を電気信号として検出し、電流検出部１０は、内部導体６ａから電流成分を電気信号として検出する。
【００４８】
その後、電力演算部１１は、電圧成分と電流成分との積から電力量を演算し、中央演算部１８は、電力量を取り込んで使用電力量として累積し、電力量表示部１３は、使用電力量を表示する。
【００４９】
中央演算部１８は、現在時刻と検定有効期間とを比較し、現在時刻が検定有効期間を超過した場合に、電力量表示部１３の表示を停止させる。
【００５０】
検定有効期間の超過後においては、中央演算部１８は、使用電力量を示す使用電力量データを記録部１９に記録し、必要に応じて通信端子１７を経由して出力する。
【００５１】
また、検定有効期間の超過後においてスイッチ２０がＯＮ状態となった場合、中央演算部１８は、記録部１９に記録されている使用電力量データの示す使用電力量を電力量表示部１３に表示させる。
【００５２】
図２は、本実施の形態に係る電力量計１５による処理の一例を示すフローチャートである。
【００５３】
ステップＳ１において、計時部１８ａは、現在時刻の計時を開始する。
【００５４】
ステップＳ２において、検定合格検出部１８ｂは、通信端子１７を用いて合格データを受信し、合格データに基づいて検定合格を検出する。
【００５５】
ステップＳ３において、検定合格検出部１８ｂは、検定有効期間を定める。
【００５６】
ステップＳ４において、電力検出部１６は、負荷３において使用された電力量を検出する。
【００５７】
ステップＳ５において、累積部１８ｃは、検出された電力量を累積し、使用電力量を求め、使用電力量データを作成する。
【００５８】
ステップＳ６において、判断部１８ｄは、検定有効期間と現在時刻とを比較し、現在時刻が検定有効期間内か否か判断する。
【００５９】
現在時刻が検定有効期間内の場合、ステップＳ７において、表示制御部１８ｇは、使用電力量を電力量表示部１３に表示させる。その後、処理がステップＳ４に戻る。
【００６０】
現在時刻が検定有効期間内でない場合、ステップＳ８以下が実行される。
【００６１】
ステップＳ８において、表示制御部１８ｇは、電力量表示部１３による表示を停止させる。
【００６２】
ステップＳ９において、記録処理部１８ｅは、使用電力量データを記録部１９に記録する。
【００６３】
ステップＳ１０において、データ出力部１８ｆは、データ出力命令を入力したか否か判断する。
【００６４】
データ出力命令を入力した場合、ステップＳ１１において、データ出力部１８ｆは、記録部１９に記録されている使用電力量データを通信端子１７経由で出力する。
【００６５】
ステップＳ１２において、表示制御部１８ｇは、スイッチ２０がＯＮ状態か否か判断する。
【００６６】
スイッチ２０がＯＮ状態の場合、ステップＳ１３において、表示制御部１８ｇは、記録部１９に記録されている使用電力量データの示す使用電力量を電力量表示部１３に表示させる。
【００６７】
ステップＳ１４において、電力量計１５は、動作を終了するまで上記ステップＳ８以下の処理を繰り返す。
【００６８】
なお、上記ステップＳ１０及びステップＳ１１と、ステップＳ１２及びステップＳ１３の順序は逆でもよい。
【００６９】
以上説明した本実施の形態では、検定有効期間を超えた場合に、使用電力量が表示されないため、使用電力量の検針を行う者は使用電力量を知ることができない。したがって、検定有効期間を超えた電力量計の使用が制限され、適切な電力取引を実現できる。
【００７０】
また、本実施の形態では、表示が停止されるため、検針を行う者は、電力量計１５の検定有効期限が超過していることを明確かつ容易に知ることができる。
【００７１】
また、本実施の形態では、検定有効期間の超過後に表示が停止されるため、検定有効期間の超過後に電力量計１５によって消費される電力を削減できる。
【００７２】
また、本実施の形態では、検定有効期間の超過後に、再び検定合格データを入力することで、容易かつ迅速に電力量計１５を再利用できる。
【００７３】
なお、本実施の形態では、現在時刻が検定有効期間を超過した場合に、使用電力量データが記録部１９に記録されるとしている。しかしながら、現在時刻が検定有効期間を超過していない場合であっても、記録処理部１８ｅは、使用電力量データを記録部１９に記録するとし、通信端子１７経由で使用電力量データを出力可能としてもよい。
【００７４】
（第２の実施の形態）
本実施の形態では、検定合格時からの累積時間が検定有効累積時間を超過した時点でしよう電力量の表示を停止する電力量計について説明する。なお、本実施の形態において、上記第１の実施の形態と同様の部分については同様の符号を付して説明を省略する。
【００７５】
図３は、本実施の形態に係る電力量計の一例を示すブロック図である。
【００７６】
電力量計２１は、上記第１の実施の形態で説明した電力量計１５と中央演算部が異なる。電力量計２１の中央演算部２２は、計時部１８ａ、検定合格検出部２２ａ、累積部１８ｃ、判断部２２ｂ、記録処理部２２ｃ、データ出力部１８ｆ、表示制御部２２ｄを具備する。
【００７７】
検定合格検出部２２ａは、通信端子１７において受信された合格データを入力した場合に、検定合格を検出する。
【００７８】
判断部２２ｂは、計時部１８ａによって計時されている現在時刻に基づいて、検定合格検出部２２ａによって検定合格が検出されてからの累積時間を求める。
【００７９】
そして、判断部２２ｂは、検定合格時からの累積時間と有効累積時間データの示す有効累積時間とを比較し、累積時間が有効累積時間を超えたか否か判断する。ここで、有効累積時間とは、検定合格時から有効期間の最終日時までの時間であるとする。例えば、単独で使用される定格電圧が３００Ｖ以下の電力量計の場合、１０年を検定有効累積時間として定める。
【００８０】
記録処理部２２ｃは、判断部２２ｂによって累積時間が検定有効累積時間を超えたと判断された場合に、累積部１８ｃによって作成された使用電力量データを記録部１９に記録する。
【００８１】
表示制御部２２ｄ、判断部２２ｂによって累積時間が検定有効累積時間を超えないと判断された場合に、累積部１８ｃによって作成された使用電力量データの示す使用電力量を電力量表示部１３に表示させる。
【００８２】
一方、表示制御部２２ｄは、累積時間が検定有効累積時間を超えたと判断された場合に、電力量表示部１３による表示動作を停止させる。
【００８３】
さらに、表示制御部２２ｄは、スイッチ２０がＯＮ状態となった場合、記録部１９に記録されている使用電力量データを読み出し、電力量表示部１３に使用電力量を表示させる。
【００８４】
本実施の形態に係る電力量計２１の動作概要について説明する。
【００８５】
中央演算部２２は、通信端子１７から検定に合格した旨を示す合格データを受信し、検定合格からの累積時間を求める。
【００８６】
そして、中央演算部２２は、累積時間が検定有効累積時間を超過した場合に、電力量表示部１３による使用電力量の表示を停止させる。
【００８７】
累積時間が検定有効累積時間を超過した後においては、中央演算部２２は、使用電力量データを記録部１９に記録し、必要に応じて通信端子１７を経由して出力する。
【００８８】
図４は、本実施の形態に係る電力量計２１による処理の一例を示すフローチャートである。
【００８９】
ステップＴ１は、上記第１の実施の形態におけるステップＳ１と同様である。
【００９０】
ステップＴ２において、検定合格検出部２２ａは、通信端子１７を用いて合格データを受信し、合格データに基づいて検定合格を検出する。
【００９１】
ステップＴ３，Ｔ４については、上記第１の実施の形態におけるステップＳ４，Ｓ５と同様である。
【００９２】
ステップＴ５において、判断部２２ｂは、累積時間を求める。
【００９３】
ステップＴ６において、判断部１８ｄは、累積時間と検定有効累積時間とを比較し、累積時間が検定有効累積時間を超えたか否か判断する。
【００９４】
累積時間が検定有効累積時間を超えない場合、ステップＴ７において、表示制御部２２ｄは、使用電力量を電力量表示部１３に表示させる。その後、処理がステップＴ３に戻る。
【００９５】
累積時間が検定有効累積時間を超えた場合、ステップＴ８以下が実行される。
【００９６】
ステップＴ８において、表示制御部２２ｄは、電力量表示部１３による表示を停止させる。
【００９７】
ステップＴ９〜Ｔ１１については、上記第１の実施の形態におけるステップＳ９〜Ｓ１１と同様である。
【００９８】
ステップＴ１２において、表示制御部２２ｄは、スイッチ２０がＯＮ状態か否か判断する。
【００９９】
スイッチ２０がＯＮ状態の場合、ステップＴ１３において、表示制御部２２ｄは、記録部１９に記録されている使用電力量データの示す使用電力量を電力量表示部１３に表示させる。
【０１００】
ステップＴ１４において、電力量計２１は、動作を終了するまで上記ステップＴ８以下の処理を繰り返す。
【０１０１】
なお、上記ステップＴ５と、ステップＴ３及びＴ４との順序は逆でもよく、並列に実行されてもよい。
【０１０２】
また、上記ステップＴ１０及びステップＴ１１と、ステップＴ１２及びステップＴ１３の順序は逆でもよい。
【０１０３】
以上説明した本実施の形態では、検定に合格してからの累積時間が、所定の検定有効累積時間を超えた場合に、使用電力量が表示されない。このため、上記第１の実施の形態と同様の効果を得ることができる。
【０１０４】
また、本実施の形態では、計時部１８ａによって計時されている現在時刻を変更したとしても、有効に利用できる期間を超えた電力量計１５の使用を制限でき、適切な電力取引を実現できる。
【０１０５】
なお、本実施の形態において、検定有効累積時間は、予め設定されているとしてもよく、中央演算部２２の処理により設定されるとしてもよい。
【産業上の利用可能性】
【０１０６】
本発明は、電気の供給者から電気の需要者に電気が供給された場合に、需要者の使用電力量を計量する電力量計の分野に有効である。
【図面の簡単な説明】
【０１０７】
【図１】本発明の第１の実施の形態に係る電力量計の一例を示すブロック図。
【図２】同実施の形態に係る電力量計による処理の一例を示すフローチャート。
【図３】本発明の第２の実施の形態に係る電力量計の一例を示すブロック図。
【図４】同実施の形態に係る電力量計による処理の一例を示すフローチャート。
【図５】従来の電力量計の一例を示すブロック図。
【図６】従来の電力量計の一例を示す正面図。
【符号の説明】
【０１０８】
１，１５，２１…電力量計、２…電力供給設備、３…負荷、４…入力端子、５，８…配電線、５ａ，８ａ…第１電線、５ｂ，８ｂ…第２電線、６ａ，６ｂ…内部導体、７…出力端子、９…電圧検出部、１０…電流検出部、１１…電力演算部、１２，１８，２２…中央演算部、１３…電力量表示部、１６…電力検出部、１７…通信端子、１８ａ…計時部、１８ｂ，２２ａ…検定合格検出部、１８ｃ…累積部、１８ｄ，２２ｂ…判断部、１８ｅ，２２ｃ…記録処理部、１８ｆ…データ出力部、１８ｇ，２２ｄ…表示制御部、１９…記録部、２０…スイッチ
【図１】
2005181053.tif 000003
【図２】
2005181053.tif 000004
【図３】
2005181053.tif 000005
【図４】
2005181053.tif 000006
【図５】
2005181053.tif 000007
【図６】
2005181053.tif 000008